(57)【要約】【課題】Ｘ線高電圧装置を小型化する。【解決手段】一実施形態に係るＸ線高電圧装置は、陽極、複数のフィラメント及びグリッドを備える多焦点Ｘ線管に高電圧を供給する装置であって、複数のインバータと、複数のトランスと、複数の整流器と、切換回路とを備える。複数のインバータは、複数のフィラメントのそれぞれに対して設けられる。複数のトランスは、複数のインバータのそれぞれに接続され、インバータからの出力を変圧するとともに、接続先のインバータに対応するフィラメントに当該変圧後の出力を供給する。複数の整流器は、複数のトランスのうちの少なくとも２つのトランスにて変圧された出力を整流してグリッドバイアス用の出力を生成する。切換回路は、複数の整流器にて整流された出力の間で、グリッドに供給する出力を選択的に切り換える。【選択図】    図２
2014229373.tif 000002
【特許請求の範囲】
【請求項１】
陽極と、複数のフィラメントと、前記複数のフィラメントから前記陽極に向けて放出される電子を阻止するグリッドとを備える多焦点Ｘ線管に高電圧を供給するＸ線高電圧装置であって、
前記複数のフィラメントのそれぞれに対して設けられた複数のインバータと、
前記複数のインバータのそれぞれに接続され、前記インバータからの出力を変圧するとともに、接続先の前記インバータに対応する前記フィラメントに当該変圧後の出力を供給する複数のトランスと、
前記複数のトランスのうちの少なくとも２つのトランスにて変圧された出力を整流してグリッドバイアス用の出力を生成する複数の整流器と、
前記複数の整流器にて整流された出力の間で、前記グリッドに供給する出力を選択的に切り換える切換回路と、
を備えるＸ線高電圧装置。
【請求項２】
前記切換回路は、前記少なくとも２つのトランスのそれぞれを、前記複数のフィラメントのいずれかに対して接続する複数の接続線のそれぞれに設けられた複数のスイッチである、
請求項１に記載のＸ線高電圧装置。
【請求項３】
前記多焦点Ｘ線管を用いた一連のＸ線照射において、前記複数のフィラメントのうち当該Ｘ線照射に使用しないいずれか１つの前記フィラメントに出力を供給する前記トランスに接続された前記整流器が生成した出力が前記グリッドに供給されるように、前記切換回路を動作させる制御回路、
をさらに備える請求項１に記載のＸ線高電圧装置。
【発明の詳細な説明】
【技術分野】
【０００１】
本発明の実施形態は、多焦点Ｘ線管に電圧を供給するＸ線高電圧装置に関する。
【背景技術】
【０００２】
従来、三極Ｘ線管を用いてＸ線の照射を制御する方式がある。三極Ｘ線管は、例えば回転陽極と、陰極としてのフィラメントと、収束電極としてのグリッドとを備える。フィラメントに対するグリッドの電位（グリッドバイアス）を、電子放出が可能な電位と不可能な電位の間で切り換えることにより、Ｘ線の波形をパルス状に変化させることができる。
【０００３】
グリッドバイアス用の電源は、高耐圧の絶縁トランスを用いて供給される。例えば中性点接地方式のＸ線高電圧装置において、Ｘ線管の管電圧を１５０ｋＶとする場合にあっては、絶縁トランスは７５ｋＶの耐電圧が必要となる。
【０００４】
三極Ｘ線管においては、グリッドバイアス用の絶縁トランスの他に、管電圧を発生させるための電源用の絶縁トランスと、フィラメントを加熱するための電源用の絶縁トランスが必要となる。さらに、複数のフィラメントを備える多焦点型のＸ線管にあっては、各フィラメントの数だけ、各フィラメントを加熱するための電源用の絶縁トランスが必要となる。
【０００５】
高耐圧の絶縁トランスは、十分な絶縁距離を確保する必要がある。したがって、多数の絶縁トランスが必要な場合には、Ｘ線管に電圧を供給するＸ線高電圧装置が大型化してしまう。
【先行技術文献】
【特許文献】
【０００６】
【特許文献１】特開２００２−３３０６４号公報
【発明の概要】
【発明が解決しようとする課題】
【０００７】
実施形態の目的は、Ｘ線高電圧装置を小型化することである。
【課題を解決するための手段】
【０００８】
一実施形態に係るＸ線高電圧装置は、陽極と、複数のフィラメントと、前記複数のフィラメントから前記陽極に向けて放出される電子を阻止するグリッドとを備える多焦点Ｘ線管に高電圧を供給するＸ線高電圧装置であって、複数のインバータと、複数のトランスと、複数の整流器と、切換回路とを備える。
【０００９】
上記複数のインバータは、上記複数のフィラメントのそれぞれに対して設けられる。上記複数のトランスは、上記複数のインバータのそれぞれに接続され、上記インバータからの出力を変圧するとともに、接続先の上記インバータに対応する上記フィラメントに当該変圧後の出力を供給する。上記複数の整流器は、上記複数のトランスのうちの少なくとも２つのトランスにて変圧された出力を整流してグリッドバイアス用の出力を生成する。上記切換回路は、上記複数の整流器にて整流された出力の間で、上記グリッドに供給する出力を選択的に切り換える。
【図面の簡単な説明】
【００１０】
【図１】一実施形態におけるＸ線透視撮影装置のブロック構成図。
【図２】同実施形態におけるＸ線高電圧装置及びＸ線管の構成を示す図。
【図３】同実施形態におけるＸ線高電圧装置の動作を説明するためのタイムチャート。
【図４】同実施形態におけるＸ線高電圧装置の動作を説明するためのタイムチャート。
【図５】同実施形態におけるＸ線高電圧装置の動作を説明するためのタイムチャート。
【図６】同実施形態におけるＸ線高電圧装置の動作を説明するためのタイムチャート。
【発明を実施するための形態】
【００１１】
一実施形態につき、図面を参照しながら説明する。  
なお、本実施形態においては、Ｘ線透視撮影装置及び当該装置に搭載されるＸ線高電圧装置を開示する。
【００１２】
図１は、本実施形態に係るＸ線透視撮影装置１のブロック構成図である。  
この図に示すように、Ｘ線透視撮影装置１は、Ｘ線高電圧装置２、Ｘ線管３、Ｘ線絞り装置４、天板５、Ｃアーム６、Ｘ線検出器７、アーム駆動機構８、天板移動機構９、システム制御部１０、入力部１１、表示部１２、データ変換部１３、データ記憶部１４、及び、画像処理部１５等を備える。
【００１３】
Ｘ線高電圧装置２は、Ｘ線管３に供給するための高電圧を発生する。Ｘ線管３は、Ｘ線高電圧装置２から供給される高電圧に基づき、Ｘ線を発生する。Ｘ線絞り装置４は、Ｘ線管３から発せられるＸ線を、被検体Ｐの関心領域に対して選択的に照射されるように絞り込む。例えばＸ線絞り装置４は、スライド可能な４枚の絞り羽根を有しており、これら絞り羽根をスライドさせることでＸ線を絞り込む。Ｘ線管３及びＸ線絞り装置４は、Ｘ線源装置３０を構成する。
【００１４】
天板５には被検体Ｐが載置される。Ｘ線検出器７は、被検体Ｐを透過したＸ線を検出する複数のＸ線検出素子を備える。これら各Ｘ線検出素子は、Ｘ線管３から発せられて被検体Ｐを透過したＸ線を電気信号に変換して蓄積する。
【００１５】
Ｃアーム６は、Ｘ線源装置３０と、Ｘ線検出器７とを、Ｘ線管３のＸ線照射面とＸ線検出器７のＸ線検出面とが被検体Ｐを挟んで向かい合う状態で保持する。Ｃアームに代えて他種のアーム、例えばΩアームを用いることもできる。
【００１６】
アーム駆動機構８は、Ｃアーム６を回転及び移動させるための装置である。天板移動機構９は、天板５を載置面と平行な水平方向、及び、載置面と垂直な垂直方向に移動させる。
【００１７】
データ変換部１３は、Ｘ線のパルス照射に同期してＸ線検出器７に蓄積された電荷を読み出すとともに、読み出した電気信号をデジタルデータに変換し、データ記憶部１４に出力する。このときデータ記憶部１４は、データ変換部１３から出力されるデジタルデータを、投影データとして記憶する。
【００１８】
画像処理部１５は、データ記憶部１４に記憶された投影データにウィンドウ変換、ＲＧＢ処理等の各種画像処理を施し、Ｘ線透過画像として表示部１２に出力する。
【００１９】
入力部１１は、Ｘ線透視撮影装置１を操作する医師や技師等の操作者が各種コマンドや情報を入力するために用いるマウス、キーボード、ボタン、トラックボール、ジョイスティック、フットスイッチ等を含み、これらのデバイスにて入力されたコマンドや情報をシステム制御部１０に出力する。本実施形態における入力部１１は、透視スイッチＳＷＦと、撮影スイッチＳＷＳとを含む。透視スイッチＳＷＦは、被検体Ｐを連続的に観察するコマンドを操作者が入力するためのスイッチである。透視は、連続的にＸ線を発生させる場合とパルス状に発生させる場合とがある。撮影スイッチＳＷＳは、被検体Ｐを上記パルス状のＸ線よりも高いエネルギーを有するＸ線にて撮影するコマンドを操作者が入力するためのスイッチである。
【００２０】
表示部１２は、例えばＬＣＤ（Liquid Crystal Display）であるモニタを有し、入力部１１を介して操作者からの入力を受け付けるためのＧＵＩ（Graphical User Interface）や、画像処理部１５から入力されるＸ線透過画像を表示する。
【００２１】
システム制御部１０は、プロセッサやメモリによって構成され、Ｘ線透視撮影装置１全体の動作を制御する。すなわち、システム制御部１０は、入力部１１を介して入力される操作者からのコマンド等に基づいて、Ｘ線高電圧装置２、アーム駆動機構８、及び、Ｘ線絞り装置４等を制御することで、被検体Ｐに照射するＸ線量の調整及びＸ線照射のＯＮ／ＯＦＦ制御、Ｃアーム６の回転・移動制御、天板５の移動制御等を行う。また、システム制御部１０は、入力部１１を介して入力される操作者からのコマンド等に基づいて画像処理部１５を制御する。さらに、システム制御部１０は、表示部１２に上記ＧＵＩ等を表示させるための制御を行う。
【００２２】
Ｘ線高電圧装置２及びＸ線管３の詳細な構成につき、図２を用いて説明する。
【００２３】
Ｘ線管３は、グリッド制御方式を採用した多焦点型のＸ線管である。Ｘ線管３は、陽極３１と、大焦点用の第１のフィラメント３２１と、小焦点用の第２のフィラメント３２２と、グリッド３３とを備える。第１のフィラメント３２１及び第２のフィラメント３２２は、陰極である。
【００２４】
Ｘ線高電圧装置２は、Ｘ線管３に管電圧を印加するための回路として、高電圧インバータ２０１、高電圧トランス２０２、及び、高電圧整流器２０３を備える。高電圧インバータ２０１は、商用交流電源から図示せぬ整流器を介して供給される直流をスイッチングして所定周波数の交流を生成する。高電圧トランス２０２は、高電圧インバータ２０１に接続された一次巻線２０２ａと、高電圧整流器２０３に接続された二次巻線２０２ｂとを備える絶縁トランスである。高電圧インバータ２０１から一次巻線２０２ａに交流が供給されると、二次巻線２０２ｂから高電圧整流器２０３に昇圧された交流が出力される。高電圧整流器２０３は、高電圧トランス２０２から入力される交流を直流に変換し、Ｘ線管３の陽極３１と、第１のフィラメント３２１或いは第２のフィラメント３２２との間に印加する。
【００２５】
Ｘ線高電圧装置２は、第１のフィラメント３２１を加熱するための回路として、第１のインバータ２１１と、第１のトランス２１２とを備え、第２のフィラメント３２２を加熱するための回路として、第２のインバータ２２１と、第２のトランス２２２とを備える。第１のインバータ２１１及び第２のインバータ２２１は、商用交流電源から図示せぬ整流器を介して供給される直流をスイッチングして所定周波数の交流を生成する。第１のトランス２１２は、第１のインバータ２１１に接続された一次巻線２１２ａと、第１のフィラメント３２１に接続された二次巻線２１２ｂとを備える絶縁トランスである。第２のトランス２２２は、第２のインバータ２２１に接続された一次巻線２２２ａと、第２のフィラメント３２２に接続された二次巻線２２２ｂとを備える絶縁トランスである。第１のインバータ２１１から一次巻線２１２ａに交流が供給されると、二次巻線２１２ｂから変圧された交流が出力される。二次巻線２１２ｂからの出力に基づき、第１のフィラメント３２１が加熱される。第２のインバータ２２１から一次巻線２２２ａに交流が供給されると、二次巻線２２２ｂから変圧された交流が出力される。二次巻線２２２ｂからの出力に基づき、第２のフィラメント３２２が加熱される。
【００２６】
Ｘ線高電圧装置２は、Ｘ線管３にグリッドバイアスを印加するための回路として、二次巻線２１２ｃ，２２２ｃと、第１の整流器２１３と、第２の整流器２２３と、切換回路２３０と、スイッチＳＷ０と、２つの抵抗Ｒと、コンデンサＣとを備える。二次巻線２１２ｃは、第１のトランス２１２のコアに巻かれる。二次巻線２２２ｃは、第２のトランス２２２のコアに巻かれる。切換回路２３０は、第１の整流器２１３とグリッド３３とを接続する接続線を開閉するスイッチＳＷ１と、第２の整流器２２３とグリッド３３とを接続する接続線を開閉するスイッチＳＷ２とを備える。第１のインバータ２１１から一次巻線２１２ａに交流が供給されると、二次巻線２１２ｃから第１の整流器２１３に変圧された交流が出力される。第１の整流器２１３は、第１のトランス２１２から入力される交流を直流に変換し、変換後の直流をグリッドバイアスとしてグリッド３３に印加する。第２の整流器２２３は、第２のトランス２２２から入力される交流を直流に変換し、変換後の直流をグリッドバイアスとしてグリッド３３に印加する。
【００２７】
さらに、Ｘ線高電圧装置２は、制御回路２４０を備える。制御回路２４０は、各インバータ２０１，２１１，２２１に駆動パルス信号を供給する。各インバータ２０１，２１１，２２１は、例えばこの駆動パルス信号のデューティ（パルス発生区間／パルス周期）に応じた交流を出力する。制御回路２４０は、スイッチＳＷ０を開閉（オン／オフ）することにより、グリッドバイアスの印加をオン／オフする。また、制御回路２４０は、スイッチＳＷ０，ＳＷ１，ＳＷ２を開閉（オン／オフ）することにより、グリッドバイアスの印加に用いる電源を第１のインバータ２１１と第２のインバータ２２１との間で切り換える。
【００２８】
Ｘ線を被検体Ｐに照射するにあたっては、２つの焦点を同時に使用することはない。そこで、本実施形態においては、第１のトランス２１２及び第２のトランス２２２のうち、Ｘ線の照射に使用しない側のトランスに予備加熱用及びグリッドバイアス用の電力を供給させる。なお、予備加熱とは、Ｘ線を発生するための準備段階として、予めフィラメントの温度を所定温度まで高めるために、当該フィラメントを加熱することである。予備加熱は、Ｘ線管３に高電圧を印加してもＸ線管３に管電流がほとんど流れない程度の加熱量で行われる。透視及び撮影に使用する焦点は、入力部１１の操作によって操作者が任意に切り替えることができる。
【００２９】
Ｘ線高電圧装置２の具体的な動作について説明する。  
図３〜図６は、いずれも透視スイッチＳＷＦ、撮影スイッチＳＷＳ、スイッチＳＷ０、スイッチＳＷ１、スイッチＳＷ２、第１焦点管電流Ｉ１、第２焦点管電流Ｉ２、及び、グリッドバイアスＶｇの時間変化を示すタイムチャートである。なお、第１焦点管電流Ｉ１は、第１のフィラメント３２１によりＸ線を発生させる際の管電流であり、第２焦点管電流Ｉ２は、第２のフィラメント３２２によりＸ線を発生させる際の管電流である。
【００３０】
図３のタイムチャートは、第１のフィラメント３２１によりパルス状に発生させたＸ線にて被検体Ｐを透視するとともに、第１のフィラメント３２１により発生させた単発のＸ線にて被検体Ｐを撮影する場合に相当する。
【００３１】
当該タイムチャートの当初において、スイッチＳＷＦ，ＳＷＳ，ＳＷ０，ＳＷ１，ＳＷ２はいずれもオフされている。操作者が透視スイッチＳＷＦをオンしたとき、システム制御部１０は、Ｘ線高電圧装置２に透視の開始を指令する。この指令を受けたことに応じて、制御回路２４０は、スイッチＳＷ２をオンする。さらに、制御回路２４０は、各インバータ２０１，２１１，２２１の透視用駆動制御を開始する。その後、操作者が透視スイッチＳＷＦをオフしたとき、システム制御部１０は、Ｘ線高電圧装置２に透視の終了を指令する。この指令を受けたことに応じて、制御回路２４０は、スイッチＳＷ２をオフする。さらに、制御回路２４０は、各インバータ２０１，２１１，２２１の駆動制御を透視状態から待機状態（全てのフィラメントが予備加熱される状態）の制御に移行させる。
【００３２】
スイッチＳＷ２がオンされている間、第２のトランス２２２からの出力を電源として、第１のフィラメント３２１から陽極３１に向けた電子放出が不可能な電位（例えば−３ｋＶ）のグリッドバイアスＶｇがＸ線管３に印加される。このとき、第１のフィラメント３２１から放出される電子がグリッド３３によって阻止される。
【００３３】
制御回路２４０は、スイッチＳＷ２がオンされている間、予め定められた周期でスイッチＳＷ０をオンする。スイッチＳＷ０がオンされている間、グリッド３３と第１のフィラメント３２１が短絡するのでグリッドバイアスＶｇは零となる。したがって、第１のフィラメント３２１を用いた第１焦点管電流Ｉ１が例えば５０ｍＡに立ち上がる。このようにして周期的に立ち上がる管電流Ｉ１に応じたパルス状のＸ線が、Ｘ線管３から被検体Ｐに照射される。
【００３４】
操作者が撮影スイッチＳＷＳをオンしたとき、システム制御部１０は、Ｘ線高電圧装置２に撮影の開始を指令する。この指令を受けたとき、制御回路２４０は、予め定められた撮影準備期間Ｔの経過を待って、高電圧インバータ２０１及び第１のインバータ２１１を駆動し、Ｘ線管３に例えば２００ｍＡの第１焦点管電流Ｉ１を流して、撮影用のＸ線を発生させる。このような撮影に際して、スイッチＳＷ０，ＳＷ１，ＳＷ２はいずれもオフの状態が維持される。
【００３５】
なお、スイッチＳＷＦ，ＳＷＳの状態にかかわらず、第２のインバータ２２１は、予備加熱用に設定された低レベルの交流を出力し、第２のフィラメント３２２を予備加熱する。
【００３６】
図４のタイムチャートは、第２のフィラメント３２２によりパルス状に発生させたＸ線にて被検体Ｐを透視するとともに、第２のフィラメント３２２により発生させた単発のＸ線にて被検体Ｐを撮影する場合に相当する。
【００３７】
当該タイムチャートの当初において、スイッチＳＷＦ，ＳＷＳ，ＳＷ０，ＳＷ１，ＳＷ２はいずれもオフされている。操作者が透視スイッチＳＷＦをオンしたとき、システム制御部１０は、Ｘ線高電圧装置２に透視の開始を指令する。この指令を受けたことに応じて、制御回路２４０は、スイッチＳＷ１をオンする。さらに、制御回路２４０は、各インバータ２０１，２１１，２２１の透視用駆動制御を開始する。その後、操作者が透視スイッチＳＷＦをオフしたとき、システム制御部１０は、Ｘ線高電圧装置２に透視の終了を指令する。この指令を受けたことに応じて、制御回路２４０は、スイッチＳＷ１をオフする。さらに、制御回路２４０は、各インバータ２０１，２１１，２２１の駆動制御を透視状態から待機状態（全てのフィラメントが予備加熱される状態）の制御に移行させる。
【００３８】
スイッチＳＷ１がオンされている間、第１のトランス２１２からの出力を電源として、第２のフィラメント３２２から陽極３１に向けた電子放出が不可能な電位（例えば−３ｋＶ）のグリッドバイアスＶｇがＸ線管３に印加される。このとき、第２のフィラメント３２２から放出される電子がグリッド３３によって阻止される。
【００３９】
制御回路２４０は、スイッチＳＷ１がオンされている間、予め定められた周期でスイッチＳＷ０をオンする。スイッチＳＷ０がオンされている間、グリッド３３と第２のフィラメント３２２が短絡するのでグリッドバイアスＶｇは零となる。したがって、第２のフィラメント３２２を用いた第２焦点管電流Ｉ２が例えば５０ｍＡに立ち上がる。このようにして周期的に立ち上がる管電流Ｉ２に応じたパルス状のＸ線が、Ｘ線管３から被検体Ｐに照射される。
【００４０】
操作者が撮影スイッチＳＷＳをオンしたとき、システム制御部１０は、Ｘ線高電圧装置２に撮影の開始を指令する。この指令を受けたとき、制御回路２４０は、予め定められた撮影準備期間Ｔの経過を待って、高電圧インバータ２０１及び第２のインバータ２２１を駆動し、Ｘ線管３に例えば２００ｍＡの第２焦点管電流Ｉ２を流して、撮影用のＸ線を発生させる。このような撮影に際して、スイッチＳＷ０，ＳＷ１，ＳＷ２はいずれもオフの状態が維持される。
【００４１】
なお、スイッチＳＷＦ，ＳＷＳの状態にかかわらず、第１のインバータ２１１は、予備加熱用に設定された低レベルの交流を出力し、第１のフィラメント３２１を予備加熱する。
【００４２】
図５のタイムチャートは、第１のフィラメント３２１によりパルス状に発生させたＸ線にて被検体Ｐを透視するとともに、第２のフィラメント３２２により発生させた単発のＸ線にて被検体Ｐを撮影する場合に相当する。
【００４３】
この場合、透視に際しての制御回路２４０の動作は図３の場合と同様であり、撮影に際しての制御回路２４０の動作は図４の場合と同様である。
【００４４】
図６のタイムチャートは、第２のフィラメント３２２によりパルス状に発生させたＸ線にて被検体Ｐを透視するとともに、第１のフィラメント３２１により発生させた単発のＸ線にて被検体Ｐを撮影する場合に相当する。
【００４５】
この場合、透視に際しての制御回路２４０の動作は図４の場合と同様であり、撮影に際しての制御回路２４０の動作は図３の場合と同様である。
【００４６】
本実施形態の効果について説明する。  
従来のＸ線高電圧装置は、グリッドバイアス用のインバータ及びトランスと、各フィラメント加熱用のインバータ及びトランスとをそれぞれ備えていた。これに対し、本実施形態に係るＸ線高電圧装置２は、第１のフィラメント３２１及び第２のフィラメント３２２を加熱するためのインバータ及びトランスと、グリッドバイアス用のインバータ及びトランスとを共用する構成である。したがって、インバータ及びトランスの数を減らすことができる。
【００４７】
高耐圧の絶縁トランスは、十分な絶縁距離を確保する必要がある。したがって、インバータ及びトランスの数を減らすことにより、Ｘ線高電圧装置２ないしＸ線透視撮影装置１を小型化することができる。
【００４８】
このようにＸ線高電圧装置２ないしＸ線透視撮影装置１を小型化すれば、医師等は、Ｘ線透視撮影装置１の周囲の空間を広く使用できる。そのため、例えばＸ線透視撮影装置１にて被検体Ｐを透視しながら施術する場合において、当該装置が医師等の動作を妨げ難くなるので、医師等は施術を円滑に進行できる。  
これらの他にも、本実施形態にて開示した構成からは種々の好適な効果が得られる。
【００４９】
（変形例）
いくつかの変形例について説明する。
【００５０】
本実施形態においては、Ｘ線透視撮影装置１及び当該装置に搭載されるＸ線高電圧装置２を例示した。しかしながら、図２に示したＸ線高電圧装置の構成は、Ｘ線コンピュータ断層撮影装置などの他種の装置が備えるＸ線高電圧装置に応用することもできる。
【００５１】
本実施形態においては、２つのフィラメントを備えるＸ線管３に管電圧等を印加するＸ線高電圧装置２を例示した。しかしながら、より多数のフィラメントを備えるＸ線管に管電圧等を印加するＸ線高電圧装置に対して、Ｘ線高電圧装置２と同様の構成を適用することができる。例えばＸ線管がｎ（３以上の整数）のフィラメントを備える場合、Ｘ線高電圧装置は、各フィラメントを加熱するためのｎのインバータと、ｎのトランスとを備える。このＸ線高電圧装置において、ｎのトランスのうちの少なくとも２つのコアにグリッドバイアス用の二次巻線を設け、この二次巻線に整流器をそれぞれ接続し、各整流器とグリッド３３とを接続する接続線にスイッチＳＷ１，ＳＷ２と同様のスイッチを設ける。そして、Ｘ線高電圧装置の制御回路がこれらのスイッチを選択的に切り換えることにより、Ｘ線照射に使用しないフィラメントを加熱するためのインバータ及びトランスをグリッドバイアスの電源として使用する。このようにした場合であっても、Ｘ線高電圧装置に搭載すべきインバータ及びトランスの数を減らして、当該装置を小型化することができる。
【００５２】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…Ｘ線透視撮影装置、２…Ｘ線高電圧装置、３…Ｘ線管、３２１…第１のフィラメント、３２２…第２のフィラメント、３３…グリッド、ＳＷ０，ＳＷ１，ＳＷ２…スイッチ、２１１…第１のインバータ、２１２…第１のトランス、２１３…第１の整流器、２２１…第２のインバータ、２２２…第２のトランス、２２３…第２の整流器、２３０…切換回路、２４０…制御回路。
【図１】
2014229373.tif 000003
【図２】
2014229373.tif 000004
【図３】
2014229373.tif 000005
【図４】
2014229373.tif 000006
【図５】
2014229373.tif 000007
【図６】
2014229373.tif 000008